(57)【要約】  通信ステーションと非接触通信を行うデータキャリアは、第１にリクエスト信号を受信する受信ステージ、第２にステータス情報の少なくとも２つの項目を記憶する記憶部、第３にリクエスト信号の受信に応答して一時にステータス情報の１項目を読み出す読み出し部、第４に各々の場合に読み出されたステータス情報を処理し通信ステーションへの伝送に適した伝送信号を生成する処理回路、第５に各々の場合に読み出されたステータス情報を認識する認識部、第６に認識部と処理回路との間の制御接続を備え、処理回路は、各々の場合に認識され読み出されたステータス情報の関数として処理回路によって生成された伝送信号の伝送パラメータを変更する際に制御接続によって影響を与えられ得る。
2005510812.tif 000002
【特許請求の範囲】
【請求項１】
通信ステーションと非接触通信を行うデータキャリアであって、
通信ステーションによって生成され、前記通信ステーションによって生成されて前記データキャリアに作用する場の助けによって前記データキャリアへ非接触様式で送信されることができるリクエスト信号を受け取る受信手段と、
前記データキャリアのために有意のステータス情報の少なくとも２つの項目を記憶する記憶手段と、
前記リクエスト信号の受信に応答して、ステータス情報の１つの記憶された項目を、各々の場合に読み出す読み出し手段と、
各々の場合に読み出された前記ステータス情報を処理する処理手段であって、該処理手段は、各々の場合に読み出されたステータス情報を処理して、前記通信ステーションへ伝送されるのに適した伝送信号を作り出し、該処理手段の中で、前記伝送信号の少なくとも１つの伝送パラメータを変更できる処理手段と、
各々の場合に読み出された前記ステータス情報を認識する認識手段と、
前記認識手段と前記処理手段との間にある制御接続手段であって、各々の場合に認識および読み出された前記ステータス情報の関数としての制御効果を処理手段に対して有し、特に各々の場合に認識および読み出された前記ステータス情報の関数として伝送信号の少なくとも１つの伝送パラメータを変更する制御接続手段と、
を具備する、データキャリア。
【請求項２】
制御手段が制御接続手段の中に設けられ、前記制御手段が、前記認識手段と協力し、各々の場合に認識および読み出された前記ステータス情報の関数として制御データを生成し、前記処理手段と協力して、特に、生成された前記制御データに基づいて前記伝送信号の少なくとも１つの伝送パラメータを変更する、請求項１に記載のデータキャリア。
【請求項３】
前記処理手段は、各々の場合に認識および読み出された前記ステータス情報を、異なった発生時点でスタートする少なくとも２つのタイムウィンドウの中で処理し、該処理手段は、この目的のために、タイムウィンドウ定義手段を備え、それによって、タイムウィンドウの少なくとも２つの異なった発生時間が、各々の場合に認識および読み出された前記ステータス情報の関数として定義されることができる、請求項１または２に記載のデータキャリア。
【請求項４】
前記処理手段が、少なくとも２つの異なったコーディング・タイプを使用して、各々の場合に認識および読み出された前記ステータス情報を処理し、これによって前記処理手段が、この目的のために、異なったコーディング・タイプを実現する少なくとも２つのコーディング・ステージを含み、該コーディング・ステージによって、少なくとも２つの異なったコーディング・タイプが、各々の場合に認識および読み出された前記ステータス情報の関数として実現されることができる、請求項１または２に記載のデータキャリア。
【請求項５】
前記処理手段が、少なくとも２つの異なったサブキャリア信号を使用して、各々の場合に認識および読み出された前記ステータス情報を処理し、それによって各々の場合に認識および読み出されたステータス情報を変調することができ、該処理手段は、この目的のために、サブキャリア信号生成手段を備え、それによって少なくとも２つの異なったサブキャリア信号が、各々の場合に認識および読み出された前記ステータス情報の関数として生成されることができる、請求項１または２に記載のデータキャリア。
【請求項６】
前記記憶手段は、２つのビット構成を記憶し、該２つのビット構成が電子物品監視システムの一部分として生成されることができる、請求項１または２に記載のデータキャリア。
【請求項７】
通信ステーションと非接触通信を行うデータキャリアの回路であって、
通信ステーションによって生成され、前記通信ステーションによって生成されてデータキャリアに作用する場の助けによって、データキャリア、したがって前記データキャリアの前記回路へ非接触様式で送信され得るリクエスト信号を受け取る接続手段と、
前記データキャリアへ有意のステータス情報の少なくとも２つの項目を記憶する記憶手段と、
前記リクエスト信号の受信に応答して、各々の場合にステータス情報の１つの記憶された項目を読み出す読み出し手段と、
各々の場合に読み出された前記ステータス情報を処理する処理手段であって、該処理手段は、各々の場合に読み出された前記ステータス情報を処理して、前記通信ステーションへ伝送されるのに適した伝送信号を作成し、該処理手段の中で、前記伝送信号の少なくとも１つの伝送パラメータを変更できる処理手段と、
各々の場合に読み出されたステータス情報を認識する認識手段、および認識手段と処理手段との間の制御接続手段であって、各々の場合に読み出された前記ステータス情報の関数として前記処理手段に対する制御効果を有し、特に、各々の場合に認識および読み出された前記ステータス情報の関数として前記伝送信号の少なくとも１つの伝送パラメータを変更する制御接続手段と、
を具備する、回路。
【請求項８】
制御手段が前記制御接続手段の中に設けられ、前記制御手段が、前記認識手段と協力し、各々の場合に認識および読み出された前記ステータス情報の関数として制御データを生成し、前記処理手段と協力して、特に、生成された前記制御データに基づいて伝送信号の少なくとも１つの伝送パラメータを変更する、請求項６に記載の回路。
【請求項９】
前記処理手段が、各々の場合に認識および読み出された前記ステータス情報を、異なった発生時間からスタートする少なくとも２つのタイムウィンドウの中で処理し、該処理手段は、この目的のために、タイムウィンドウ定義手段を備え、それによって少なくとも２つの異なった発生時間を、各々の場合に認識および読み出された前記ステータス情報の関数としてタイムウィンドウのために定義することができる、請求項６または７に記載の回路。
【請求項１０】
前記処理手段が、少なくとも２つの異なったコーディング・タイプを使用して、各々の場合に認識および読み出された前記ステータス情報を処理するように設計され、該処理手段は、この目的のために、異なったコーディング・タイプを実現する少なくとも２つのコーディング・ステージを備え、これによって、少なくとも２つの異なったコーディング・タイプを、各々の場合に認識および読み出された前記ステータス情報の関数として実現することができる、請求項６または７に記載の回路。
【請求項１１】
前記処理手段が、少なくとも２つの異なったサブキャリア信号を使用して、各々の場合に認識および読み出された前記ステータス情報を処理し、それによって各々の場合に認識および読み出された前記ステータス情報を変調することができ、該処理手段は、この目的のために、サブキャリア信号生成手段を備え、それによって少なくとも２つの異なったサブキャリア信号を、各々の場合に認識および読み出された前記ステータス情報の関数として生成することができる、請求項６または７に記載の回路。
【請求項１２】
前記記憶手段は２つのビット構成を記憶し、該２つのビット構成を電子物品監視システムの一部分として生成することができる、請求項６または７に記載の回路。
【請求項１３】
データキャリアと非接触通信を行う通信ステーションであって、
前記データキャリアは、通信ステーションと非接触通信を行い、
通信ステーションによって生成され、前記通信ステーションによって生成されてデータキャリアに作用する場の助けによって非接触様式でデータキャリアへ送信できるリクエスト信号を受け取る受信手段と、
データキャリアへ有意のステータス情報の少なくとも２つの項目を記憶する記憶手段と、
前記リクエスト信号の受信に応答して、一時に１つのステータス情報の記憶された項目を読み出す読み出し手段と、
各々の場合に読み出された前記ステータス情報を処理する処理手段であって、該処理手段は、各々の場合に読み出された前記ステータス情報を処理して、通信ステーションへ伝送されるの適した伝送信号を作り出し、該処理手段の中で、伝送信号の少なくとも１つの伝送パラメータを変更することができる処理手段、および、各々の場合に読み出されたステータス情報を認識する認識手段と、
前記認識手段と前記処理手段との間にある制御接続手段であって、各々の場合に認識および読み出された前記ステータス情報の関数として前記処理手段に対する制御効果を有し、特に、各々の場合に認識および読み出されたステータス情報の関数として前記伝送信号の少なくとも１つの伝送パラメータを変更する接続制御手段と、
を具備し、
前記通信ステーションは、
コマンド信号を生成するコマンド信号生成手段と、
前記データキャリアから通信ステーションへ送信された前記伝送信号を受け取る受信手段と、
受け取られた前記伝送信号を処理する処理手段および受け取られた前記伝送信号の前記伝送パラメータを認識する伝送パラメータ認識手段と、
前記伝送パラメータ認識手段と協力し、受け取られて前記伝送パラメータ認識手段によって認識された前記伝送信号の前記伝送パラメータの関数として少なくとも１つのコマンド信号の生成に関して決定を行う決定手段と、
を具備する、通信ステーション。
【請求項１４】
前記決定手段が、前記伝送パラメータ認識手段と前記コマンド信号生成手段との間に設けられ、受け取られて前記伝送パラメータ認識手段によって認識された前記伝送信号の前記伝送パラメータの関数として、特に、どのコマンド信号が前記コマンド信号生成手段によって生成されるかに関して、前記コマンド信号生成手段に影響を与える、請求項１３に記載の通信ステーション。
【発明の詳細な説明】
【技術分野】
【０００１】
本発明はデータキャリアに関する。このデータキャリアは、通信ステーションと非接触通信を行うように提供および設計され、そのために、リクエスト信号を受け取る受信手段を含む。このリクエスト信号は、通信ステーションによって生成されることができ、通信ステーションで生成されてデータキャリアに作用する場の助けによって、非接触様式でデータキャリアへ送信されることができる。ここで、データキャリアは、データキャリアのために有意のステータス情報の少なくとも２つの項目を記憶する記憶手段、リクエスト信号の受信に応答して、記憶されたステータス情報の１つの項目を各々の場合に読み出す読み出し手段、および各々の場合に読み出されたステータス情報を処理する処理手段を含む。この処理手段は、各々の場合に読み出されたステータス情報を処理し、通信ステーションへ伝送されるのに適した伝送信号を作り出す。この処理手段の中で、伝送信号の少なくとも１つの伝送パラメータを変更することができる。
【０００２】
本発明は、更に、通信ステーションと非接触通信を行うデータキャリアの回路に関する。この回路は、リクエスト信号を受け取る接続手段、データキャリアのために有意のステータス情報の少なくとも２項目を記憶する記憶手段、リクエスト信号を受け取った結果として、記憶されたステータス情報の１つの項目を各々の場合に読み出す読み出し手段、および各々の場合に読み出されたステータス情報を処理する処理手段を含む。
【０００３】
本発明は、更に、最初のパラグラフで記述された設計を有するデータキャリアと非接触通信を行う通信ステーションに関する。
【背景技術】
【０００４】
上記の第２のパラグラフで記述された設計を有する回路を備えた上記の第１のパラグラフで記述された設計を有するデータキャリアは、出願人によって販売され、したがって公知である。公知のデータキャリアの応用例の中には、この種の公知の単数または複数のデータキャリアが、いわゆる電子物品監視システム（ＥＡＳシステム）の一部分である応用例が存在する。この種の電子物品監視システムにおいて、データキャリアは、各々の場合に、監視を受ける物品、たとえば、１つの衣料品、娯楽電子機器分野の１つの装置、または多くの他の製品の１つへ取り付けられる。いわゆるＥＡＳビット構成は、ここで、元のステータスのままであるか新しいステータスへ設定されてよい。その結果、第１のＥＡＳビット構成または第２のＥＡＳビット構成が、公知のデータキャリアの記憶手段の中に記憶され、それによって第１のＥＡＳビット構成は、データキャリアおよびデータキャリアが取り付けられた物品のために、有意のステータス情報の第１の項目を形成し、第２のＥＡＳビット構成は、データキャリアおよびデータキャリアが取り付けられた物品のために、有意のステータス情報の第２の項目を形成する。公知の実施形態において、ステータス情報の第１の項目を形成する第１のＥＡＳビット構成は、ビット「１」によって形成され、ステータス情報の第２の項目を形成する第２のＥＡＳビット構成は、ビット「０」によって形成される。もちろん、より多くのビット数を有する多くの他のビット構成も可能である。第１のＥＡＳビット構成、即ちビット「１」は、公知のシステムでは、データキャリアが電子物品監視のために使用される決定がなされたときに設定される。その場合、設定は、通信ステーションの助けによって非接触様式で起こる。第２のＥＡＳビット構成、即ちビット「０」は、公知のシステムでは、データキャリアを取り付けられた物品の価格がキャッシュポイントで支払われたとき設定される。第２のＥＡＳビット構成の設定は、キャッシュポイントに置かれた通信ステーションの助けによって非接触様式で設定される。他方、もしデータキャリアを取り付けられた物品の価格の支払いがなされないと、第１のＥＡＳビット構成はデータキャリアの記憶手段の中に記憶されたままに残り、これは最初に設定された第１のＥＡＳビット構成が不変のまま維持されるようにする。
【０００５】
公知の電子物品監視システムにおいて、物品へ取り付けられたデータキャリアを有する物品が検査ステーションを通過するとき、検査ステーションに含まれた通信ステーションが、リクエスト信号としてのＥＡＳ走査コマンドを、物品に取り付けられたデータキャリアへ出力するように設計される。都合の悪いことに、問題の物品の価格が支払われていないことを示す第１のＥＡＳビット構成がデータキャリアの中に記憶されている場合にのみ、データキャリアは、第１のＥＡＳビット構成を考慮するように作成された伝送信号を、所定のビットパターン形式で、所定時間に、通信ステーションへ送信する。したがって、公知のシステムでは、データキャリアの中に記憶されたＥＡＳビット構成、即ち、ステータス情報の１つの項目によって生じる通信ステーション側での効果、たとえば、視覚的または聴覚的警報表示は、第１のＥＡＳビット構成に基づいて作成された伝送信号の認識からのみ引き出されることができる。これは、この種の効果が、支払いがなされなかった物品の認識のみに基づいてイニシエートされることを意味する。したがって、公知の解決法では、データキャリアの有意のステータス情報の１つの項目のみが、特定の伝送パラメータを有する伝送信号の助けによって、常に所定の時間、即ち常に同じタイムスロットで通信ステーションへ伝送される。これは制限を意味し、多くの応用例で欠点となる。
【発明の開示】
【発明が解決しようとする課題】
【０００６】
本発明の目的は、上記の制限を除去し、改善されたデータキャリア、データキャリアの改善された回路、および改善された通信ステーションを実現することである。
【課題を解決するための手段】
【０００７】
上記の目的を達成するため、本発明に従った特徴が、本発明に従ったデータキャリアの中に設けられる。本発明に従ったデータキャリアは、通信ステーションと非接触通信を行うデータキャリアであって、通信ステーションによって生成され、前記通信ステーションによって生成されて前記データキャリアに作用する場の助けによって前記データキャリアへ非接触様式で送信されることができるリクエスト信号を受け取る受信手段と、前記データキャリアのために有意のステータス情報の少なくとも２つの項目を記憶する記憶手段と、前記リクエスト信号の受信に応答して、ステータス情報の１つの記憶された項目を、各々の場合に読み出す読み出し手段と、各々の場合に読み出された前記ステータス情報を処理する処理手段であって、該処理手段は、各々の場合に読み出されたステータス情報を処理して、前記通信ステーションへ伝送されるのに適した伝送信号を作り出し、該処理手段の中で、前記伝送信号の少なくとも１つの伝送パラメータを変更できる処理手段と、各々の場合に読み出された前記ステータス情報を認識する認識手段と、前記認識手段と前記処理手段との間にある制御接続手段であって、各々の場合に認識および読み出された前記ステータス情報の関数としての制御効果を処理手段に対して有し、特に各々の場合に認識および読み出された前記ステータス情報の関数として伝送信号の少なくとも１つの伝送パラメータを変更する制御接続手段と、を具備したことを特徴とする。
【０００８】
上記目的を達成するため、本発明に従った特徴は、本発明に従った回路において提供され、本発明に従った回路は、通信ステーションと非接触通信を行うデータキャリアの回路であって、通信ステーションによって生成され、前記通信ステーションによって生成されてデータキャリアに作用する場の助けによって、データキャリア、したがって前記データキャリアの前記回路へ非接触様式で送信され得るリクエスト信号を受け取る接続手段と、前記データキャリアへ有意のステータス情報の少なくとも２つの項目を記憶する記憶手段と、前記リクエスト信号の受信に応答して、各々の場合にステータス情報の１つの記憶された項目を読み出す読み出し手段と、各々の場合に読み出された前記ステータス情報を処理する処理手段であって、該処理手段は、各々の場合に読み出された前記ステータス情報を処理して、前記通信ステーションへ伝送されるのに適した伝送信号を作成し、該処理手段の中で、前記伝送信号の少なくとも１つの伝送パラメータを変更できる処理手段と、各々の場合に読み出されたステータス情報を認識する認識手段、および認識手段と処理手段との間の制御接続手段であって、各々の場合に読み出された前記ステータス情報の関数として前記処理手段に対する制御効果を有し、特に、各々の場合に認識および読み出された前記ステータス情報の関数として前記伝送信号の少なくとも１つの伝送パラメータを変更する制御接続手段と、を具備したことを特徴とする。
【０００９】
本発明に従った特徴は、通信ステーションへ伝送されるのに適した伝送信号がこの種のステータス情報の幾つかの項目の関数として作成されることを、簡単な方法および少額の追加経費で可能にする。この作成は、ここでは、各々の場合に読み出されたステータス情報の関数として起こり、したがってデータキャリアの中へ記憶できるステータス情報の幾つかの項目から、ステータス情報の１つの項目を、そのステータス情報のために選択された伝送パラメータを使用して、各々の場合に有利な方法で通信ステーションへ送信することができる。本発明に従った方策は、次のことを有利な方法で達成する。即ち、データキャリアの多数のグループが存在し、ステータス情報の特定の項目が各々のグループの全てのデータキャリアの中に存在することが本質的に予想される場合に、この種の１つのグループの中に、予想されるステータス情報を含まないデータキャリアが存在するとき、このグループを非常に素早く認識することができ、それに続いて、このグループを残りのグループから簡単な方法で分離し、ステータス情報の予想されない項目を記憶したデータキャリアを、このグループの残りのデータキャリアから最終的に特定することができる。この特定には、様々な方法が可能であるが、本明細書の記載では本発明に関係はない。更に、本発明に従った方策は、次のことを有利に達成する。即ち、各々のグループのデータキャリアがステータス情報の特定の項目を記憶しているとき、データキャリアの特定のグループの中に少なくとも１つのデータキャリアが存在することの情報を、通信ステーションで簡単に入手できることである。更に、本発明に従った方策によって有利に達成されることは、通信ステーションの通信場にデータキャリアがいわゆる混在するとき、その混在が非常に簡単および迅速に認識されることである。
【００１０】
本発明に従ったデータキャリア、および本発明に従った回路は、もし更に、請求項２および７で請求される特徴がそれぞれ設けられると、特に有利であることが証明された。この種の設計が特に有利である理由は、制御データを生成できる制御手段が、処理手段の制御に関連して、もし望まれるならば各々の場合に認識および読み出されたステータス情報の関数として高いダイバシティを可能にするからである。しかし、この時点で言及しておかなければならないことは、最も単純な場合として、制御手段を設けなくてもよいことである。その場合、簡単な電気的または電子的接続によって形成された制御接続手段が認識手段と処理手段との間に設けられる。この制御接続手段は、認識手段によって出力された制御コマンドを処理手段へ直接送ることができる。
【００１１】
本発明に従ったデータキャリアおよび本発明に従った回路において、更に、請求項３および請求項８で請求された特徴が設けられると有利であることが証明された。この種の設計は、伝送信号を作り出すためステータス情報の認識および読み出された項目を処理するとき、その処理が、特定の発生時点からスタートするタイムウィンドウで、ステータス情報の認識および読み出された項目の関数として起こるという利点を有する。
【００１２】
更に、本発明に従ったデータキャリアおよび本発明に従った回路の場合に、請求項４および請求項９で請求された特徴がそれぞれ追加的に設けられると有利であることが証明された。それによって、伝送信号を作り出すためステータス情報の認識および読み出された項目の処理の過程で実行されるコーディングのタイプを、ステータス情報の認識および読み出された項目の関数として選択し、したがって各々の場合に選択されるコーディング・タイプを、ステータス情報の認識および読み出された項目に依存させることが簡単な方法で達成される。
【００１３】
しかし、本発明に従ったデータキャリアおよび本発明に従った回路において、もし請求項５および請求項１０でそれぞれ請求された特徴が追加的に設けられると、非常に有利であることが更に証明された。この種の設計は、伝送信号を作り出すためステータス情報の認識および読み出された項目を処理するために必要なサブキャリアを、サブキャリア周波数に関してステータス情報の認識および読み出された項目にマッチさせることができる利点を提供する。
【００１４】
上記の目的を達成するため、本発明に従った特徴が本発明に従った通信ステーションの中に設けられる。したがって、本発明に従った通信ステーションは、データキャリアと非接触通信を行う通信ステーションであって、前記データキャリアは、通信ステーションと非接触通信を行い、通信ステーションによって生成され、前記通信ステーションによって生成されてデータキャリアに作用する場の助けによって非接触様式でデータキャリアへ送信できるリクエスト信号を受け取る受信手段と、データキャリアへ有意のステータス情報の少なくとも２つの項目を記憶する記憶手段と、前記リクエスト信号の受信に応答して、一時に１つのステータス情報の記憶された項目を読み出す読み出し手段と、各々の場合に読み出された前記ステータス情報を処理する処理手段であって、該処理手段は、各々の場合に読み出された前記ステータス情報を処理して、通信ステーションへ伝送されるの適した伝送信号を作り出し、該処理手段の中で、伝送信号の少なくとも１つの伝送パラメータを変更することができる処理手段、および、各々の場合に読み出されたステータス情報を認識する認識手段と、前記認識手段と前記処理手段との間にある制御接続手段であって、各々の場合に認識および読み出された前記ステータス情報の関数として前記処理手段に対する制御効果を有し、特に、各々の場合に認識および読み出されたステータス情報の関数として前記伝送信号の少なくとも１つの伝送パラメータを変更する接続制御手段と、を具備し、前記通信ステーションは、コマンド信号を生成するコマンド信号生成手段と、前記データキャリアから通信ステーションへ送信された前記伝送信号を受け取る受信手段と、  受け取られた前記伝送信号を処理する処理手段および受け取られた前記伝送信号の前記伝送パラメータを認識する伝送パラメータ認識手段と、前記伝送パラメータ認識手段と協力し、受け取られて前記伝送パラメータ認識手段によって認識された前記伝送信号の前記伝送パラメータの関数として少なくとも１つのコマンド信号の生成に関して決定を行う決定手段と、を具備することを特徴とする。
【００１５】
本発明に従った特徴は、本発明に従って通信ステーションへ少額の経費を追加するだけで次のことを簡単に達成する。即ち、生成されているコマンド信号の原因であるステータス情報の特定の項目が特定のデータキャリアの中に記憶されている場合にのみ、特定のコマンド信号の生成が決定手段によって許されるかクリアされる。前記の特定の項目は、データキャリアの中の認識手段によって確立され、データキャリアから通信ステーションへの伝送信号の伝送パラメータに終局的に影響を与える。それによって、たとえば、本発明に従った通信ステーションを有する電子物品監視システムの場合に、特定の表示コマンド信号に対応、即ちマッチするステータス情報が物品監視システムのデータキャリアの中に記憶されているときにのみ、特定の表示コマンド信号が物品監視システムのホスト・コンピュータによって表示装置のために生成されることが、簡単で有利な方法で可能となる。
【００１６】
本発明に従った通信ステーションの場合には、もし更に、請求項１２で請求された特徴が設けられるならば、特に有利であることが証明された。この手段によって、たとえば、特定のコマンド信号によって開始される手順の実行が適切なデータキャリアにステータス情報の項目が記憶されているときにのみ、本発明に従った通信ステーションのコマンド信号生成手段によってデータキャリアへの特定のコマンド信号が生成されることが、簡単で有利な方法で可能にされる。
【００１７】
本発明は、図面に示された実施形態の例を参照して更に説明されるであろう。しかし、本発明はこれらの例に限定されない。
【発明を実施するための最良の形態】
【００１８】
図１は、本発明の第１の実施形態に従ったデータキャリア１のための回路２を有するデータキャリア１を示す。回路２は集積回路である。データキャリア１は、図４で示される通信ステーション４０と非接触通信を行うように提供および設計される。データキャリア１は、この実施形態の場合、製品、即ち、物品、たとえば衣料品または娯楽電子機器分野の装置に取り付けられたデータキャリア１であり、その中に製品に関連したデータ、たとえば、製品タイプ、販売価格、製造日付、有効期間などの特性に関連したデータが記憶される。データキャリア１および通信ステーション４０は、いわゆる電子物品監視システムの構成要素を形成する。この物品監視システムでは、第１のＥＡＳビット構成ＥＡＳＢ１または第２のＥＡＳビット構成ＥＡＳＢ２が、データキャリア１の記憶手段１６の中に記憶される。ここで、第１のＥＡＳビット構成ＥＡＳＢ１は、データキャリア１、およびデータキャリア１が取り付けられた物品のために、有意のステータス情報の第１の項目を形成し、第２のＥＡＳビット構成ＥＡＳＢ２は、データキャリア１、およびデータキャリア１が取り付けられた物品のために、有意のステータス情報の第２の項目を形成する。この実施形態の場合、第１のＥＡＳビット構成ＥＡＳＢ１はビット「１」によって形成され、第２のＥＡＳビット構成ＥＡＳＢ２はビット「０」によって形成される。しかし、より多数のビットを有する他のＥＡＳビット構成も可能である。第１のＥＡＳビット構成ＥＡＳＢ１、即ちビット「１」は、データキャリア１が電子物品監視に使用されるべきであるとの決定がなされたとき、記憶手段１６の中に記憶される。第１のＥＡＳビット構成ＥＡＳＢ１の設定は、通信ステーション４０の助けによって非接触様式で起こる。第２のＥＡＳビット構成ＥＡＳＢ２、即ちビット「０」は、データキャリア１が取り付けられた物品の価格がキャッシュポイントで支払われたとき、記憶手段１６の中に記憶される。その場合、キャッシュポイントに置かれた通信ステーション４０によって、第２のＥＡＳビット構成ＥＡＳＢ２が記憶手段１６の中に非接触様式で記憶される。もしデータキャリア１が取り付けられた物品の価格の支払いが起こっていなければ、第１のＥＡＳビット構成ＥＡＳＢ１は、データキャリア１の記憶手段１６の中に記憶されたままに残る。しかし、データキャリア１は、他の応用例のためにも提供および設計されてよい。
【００１９】
前述した通信ステーション４０は、もしそのように要求されるならば、具体的にはデータキャリア１と通信ステーション４０との間の非接触通信によって、データキャリア１の中に記憶されたデータを呼び出すことができる。この種の非接触通信を誤りなく実行できるように、通信ステーション４０はデータキャリア１を誤りなく認識し、更にデータキャリア１を処理、たとえば書き込むか読み出すことが可能でなければならず、多くの応用例では、更にこの種の複数のデータキャリアから選択可能でなければならない。通信ステーション４０の助けによって、データキャリア１を誤りなく認識し、データキャリア１と誤りなく通信できるように、データキャリア１は、以下で詳細に説明する一連の手段を備えている。図１は、現在の文脈で重要な手段のみを示すことを注意しておく。データキャリア１は、複数の更なる手段を含むが、その更なる詳細は、ここでは説明しない。
【００２０】
データキャリア１は伝送手段３を備えている。伝送手段３は受信手段および送信手段の双方を形成する。伝送手段３は、回路２の外側に設けられた伝送コイル４、および回路２の中に実現されたキャパシタ５を含む。伝送コイル４は回路２の接続コンタクト６へ取り付けられ、接続コンタクト６は回路２の接続手段の構成要素を形成する。伝送コイル４およびキャパシタ５は同調回路を形成し、同調回路の共振周波数は、通信ステーションからデータキャリア１へ送信される少なくとも１つの信号の動作周波数に対応する。データキャリア１へ送信される信号は、この実施形態の場合には振幅変調されたキャリア信号ＭＣＳＩＳである。しかし、それは異なった伝送信号であってもよい。
【００２１】
受信手段を形成する伝送手段３は、リクエスト信号ＩＳを受け取るように提供および設計される。このリクエスト信号ＩＳは、振幅変調されたキャリア信号ＭＣＳＩＳの中に含まれる。リクエスト信号ＩＳは、図示されていない通信ステーションによって生成されることができ、通信ステーションによって生成されデータキャリア１に作用する場の助けによって、データキャリア１へ非接触様式で伝送されることができる。この実施形態の場合、伝送は誘導様式、即ち変圧様式で起こる。伝送は、代替的に、電磁的に実行されてよい。リクエスト信号ＩＳは、通信ステーション４０の通信領域に存在するデータキャリア１または複数のデータキャリア１を呼び出して、記憶手段１６の中に記憶されたそれぞれのＥＡＳビット構成ＥＡＳＢ１またはＥＡＳＢ２を通信ステーション４０へ送信する。
【００２２】
データキャリア１および回路２は電源回路７を含む。電源回路７は制限ステージ８、クロック再生ステージ９、および復調ステージ１０を含む。電源回路７、クロック再生ステージ９、および復調ステージ１０は、それぞれ接続コンタクト６へ取り付けられる。その結果、変調されたキャリア信号ＭＣＳＩＳが、これらの回路構成要素へ送られる。
【００２３】
電源回路７は、振幅変調されて送られたキャリア信号ＭＣＳＩＳを利用して、ＤＣ供給電圧Ｖを生成するように提供および設計される。これは公知となって長い。電源回路７は、生成されたＤＣ供給電圧Ｖを特定の制限値へ制限することのできる制限ステージ８を含む。この種のデータキャリア１、またはこの種のデータキャリア１の電源回路７に、この種の制限ステージ８を設けることも、公知となって長い。制限電流ＩＬは、制限ステージ８の制限機能の結果として、図１の符号で示されるように、制限ステージ８の中で起こる。
【００２４】
クロック信号再生ステージ９は、振幅変調されたキャリア信号ＭＣＳＩＳを利用して、クロック信号ＣＬＫを再生するように提供および設計される。この方策も、公知となって長い。
【００２５】
復調ステージ１０は、振幅変調されたキャリア信号ＭＣＳＩＳを復調するように提供および設計される。振幅変調されたキャリア信号ＭＣＳＩＳは、復調ステージ１０へ送ることができる。その結果、復調ステージ１０は、復調されたキャリア信号ＣＳＩＳを生成および出力することができる。復調ステージ１０の下流側にデコーディング・ステージ１１が存在し、復調されたキャリア信号ＣＳＩＳをそこへ送ることができる。デコーディング・ステージ１１は、この依然としてコード化されている信号をデコードする。この信号は、図示されていない通信ステーションの中で前にコード化されている。一度、デコーディングが完了すると、デコーディング・ステージ１１はリクエスト信号ＩＳを出力する。
【００２６】
これまで説明した手段は、データキャリア１の受信動作で動作する。しかし、送信、即ち、データキャリア１から通信ステーションへの伝送動作も、データキャリア１によって実行されることができる。このため、データキャリア１または回路２は、コーディング・ステージ１２、コーディング・ステージ１２の下流側にある変調ステージ１３、および変調ステージ１３へ取り付けられたサブキャリア信号発生器１４を含む。出力側では、変調ステージ１３は接続コンタクト６、したがって伝送手段３へ取り付けられる。伝送手段３は更に送信手段を形成する。応答信号ＲＳはコーディング・ステージ１２へ送ることができる。応答信号ＲＳの生成は、以下で詳細に説明する。応答信号ＲＳは、コーディング・ステージ１２によってコード化されることができる。このコーディングが完了すると、コーディング・ステージ１２は、コード化された応答信号ＣＲＳを出力する。コード化された応答信号ＣＲＳは、変調ステージ１３へ送ることができる。更に、サブキャリア信号発生器１４によって生成されたサブキャリア信号ＳＣＳは、変調ステージ１３へ送ることができる。サブキャリア信号ＳＣＳを利用して、変調ステージ１３は、コード化された応答信号ＣＲＳの振幅変調を実行し、したがって変調ステージ１３は、振幅変調されたコード化応答信号ＭＣＲＳを伝送手段３へ供給する。伝送手段３は通信ステーション１への伝送を提供する。しかし、振幅変調の代わりに、位相変調または周波数変調も実行されてよい。
【００２７】
データキャリア１、およびデータキャリア１の回路２は、マイクロコンピュータ１５を含む。しかし、マイクロコンピュータ１５の代わりに、ハードワイヤド論理回路が設けられてよい。記憶手段１６はマイクロコンピュータ１５と交信する。記憶手段１６は、長い間公知であったように、ＲＡＭ、ＲＯＭ、およびＥＥＰＲＯＭを含む。マイクロコンピュータ１５は、リクエスト信号ＩＳの受信に応答して、各々の場合に記憶手段１６の中に記憶されたＥＡＳビット構成ＥＡＳＢ１またはＥＡＳＢ２を読み出すことができる。したがって、マイクロコンピュータ１５は、一時には、ＥＡＳビット構成の記憶された１つの項目、ＥＡＳＢ１またはＥＡＳＢ２を読み出す読み出し手段を形成する。これらのＥＡＳビット構成ＥＡＳＢ１およびＥＡＳＢ２は、データキャリア１、およびデータキャリア１が取り付けられた物品のために、有意のステータス情報を形成する。更に、マイクロコンピュータ１５は、データ処理手段１７を実現する働きをする。データ処理手段１７は、受け取られたリクエスト信号ＩＳを処理するように働き、更に、リクエスト信号ＩＳを受け取ったとき、即ち、受け取られたリクエスト信号に応答して、応答信号ＲＳを生成するように働くので、応答信号ＲＳを形成するとき、各々の場合に読み出されたＥＡＳビット構成、ＥＡＳＢ１またはＥＡＳＢ２は、それが応答信号ＲＳの中に埋め込まれるように考慮される。データ処理手段１７は、図示されていない他の複数の手段と一緒に、受け取られたリクエスト信号ＩＳに応答して応答信号ＲＳを生成する生成手段１７を形成する。応答信号ＲＳは、ここでは、記憶手段１６の中に記憶されて各々の場合に記憶手段１６から読み出されたデータキャリア１の特性であるＥＡＳビット構成を考慮または利用して生成される。
【００２８】
各々の場合に読み出されるＥＡＳビット構成、ＥＡＳＢ１またはＥＡＳＢ２は、応答信号ＲＳの中に必ずしも埋め込まれる必要はなく、その代わりに、第１のＥＡＳビット構成ＥＡＳＢ１の読み出しに続いて、第１のＥＡＳビット構成ＥＡＳＢ１に対応する特殊応答信号が、所定の第１のビット・パターンを使用して生成されてよく、第２のＥＡＳビット構成ＥＡＳＢ２の読み出しに続いて、第２のＥＡＳビット構成ＥＡＳＢ２に対応する特殊応答信号が、所定の第２のビット・パターンを使用して生成されてよいことを注意しておかなければならない。各々の場合に読み出されたＥＡＳビット構成、ＥＡＳＢ１またはＥＡＳＢ２が埋め込まれる応答信号ＲＳの場合には、記憶手段１６の記憶内容の一部分、たとえば、データキャリア１の有意の識別番号の少なくとも一部分、または、たとえば、郵便委託の宛先（destination for postal consignment）を表す他のデータも組み込まれてよい。
【００２９】
データキャリア１および回路２は、更に、応答信号ＲＳを処理する処理手段１８を含む。処理手段１８は、通信ステーション１へ伝送されるのに適した伝送信号、即ち、変調されたコード化応答信号ＭＣＲＳを作り出すように応答信号ＲＳを処理する。伝送信号の伝送パラメータは、この処理手段１８の中で変更されることができる。この実施形態の場合、処理手段１８は、図１の符号で示されるように、２つの異なった発生時点でスタートする全部で２つのタイムウィンドウＴＷ１およびＴＷ２で応答信号ＲＳを処理するように設計される。２つの異なった発生時点でスタートする２つのタイムウィンドウＴＷ１およびＴＷ２を定義するため、処理手段１８は、この実施形態の場合、マイクロコンピュータ１５によって実現されるタイムウィンドウ定義手段１９を備えている。データ処理手段１７によって生成された応答信号ＲＳは、タイムウィンドウ定義手段１９へ送ることができ、タイムウィンドウ定義手段１９は、特定のタイムウィンドウＴＷ１またはＴＷ２を定義する。タイムウィンドウＴＷ１またはＴＷ２の中で、応答信号ＲＳがコーディング・ステージ１２へ渡される。更に、処理手段１８が、タイムウィンドウ定義手段１９、コーディング・ステージ１２、変調ステージ１３、およびサブキャリア信号発生器１４を含むことを注意しておかなければならない。
【００３０】
データキャリア１および集積回路２の中に、第１のアナログ／ディジタル変換器２０および第２のアナログ／ディジタル変換器２１が設けられる。第１のアナログ／ディジタル変換器２０は、入力側を電源回路７の出力へ接続され、したがって、第１のアナログ／ディジタル変換器２０は、その出力で発生するＤＣ供給電圧Ｖを表す第１のディジタル値ＤＶを生成することができる。制限ステージ８で発生する制限電流ＩＬに比例した電圧ＶＩＬは、第２のアナログ／ディジタル変換器２１へ送ることができる。したがって、第２のアナログ／ディジタル変換器２１は、この電圧ＶＩＬ、したがって制限電流ＩＬを表す第２のディジタル値ＤＶＩＬを生成することができる。第１のディジタル値ＤＶおよび第２のディジタル値ＤＶＩＬは、マイクロコンピュータ１５の中で処理されるようにマイクロコンピュータ１５へ送ることができる。しかし、これについては、ここで詳細に説明しない。
【００３１】
マイクロコンピュータ１５は認識手段２２を実現する働きをする。各々の場合に記憶手段１６から読み出されたＥＡＳビット構成ＥＡＳＢ１またはＥＡＳＢ２は、認識手段２２へ送ることができる。認識手段２２は、各々の場合に読み出されたＥＡＳビット構成ＥＡＳＢ１またはＥＡＳＢ２を認識するように設計される。認識手段２２は、認識されたＥＡＳビット構成、ＥＡＳＢ１またはＥＡＳＢ２に依存して２つの代表値ＲＥＰ１およびＲＥＰ２を生成および供給するように設計される。
【００３２】
制御接続手段２５は、データキャリア１および集積回路２の中で、認識手段２２と処理手段１８との間に有利に設けられる。処理手段１８に対する制御効果は、制御接続手段２５を介して、各々の場合に認識および読み出されたＥＡＳビット構成ＥＡＳＢ１またはＥＡＳＢ２の関数として作用させることができる。処理手段１８に対する制御効果は、ここでは、各々の場合に認識および読み出されたＥＡＳビット構成、ＥＡＳＢ１またはＥＡＳＢ２の関数として、伝送信号の少なくとも１つの伝送パラメータを変更するために提供される。この実施形態の場合、変更可能な伝送パラメータは、タイムウィンドウＴＷの発生時間によって形成される。これは、この実施形態の場合、全部で２つのタイムウィンドウＴＷの２つの発生時間が、各々の場合に認識および読み出されたＥＡＳビット構成、ＥＡＳＢ１またはＥＡＳＢ２の関数として定義され得ることを意味する。
【００３３】
データキャリア１および回路２において、認識手段２２と協力する制御手段２６が制御接続手段２５の中に設けられる。この制御手段へ２つの代表値ＲＥＰ１およびＲＥＰ２を送ることができる。制御手段は、２つの代表値ＲＥＰ１およびＲＥＰ２の関数として制御データＣＤＡを生成するように設計され、処理手段１８と協力して、生成された制御データＣＤＡの助けによって、この場合１つの伝送パラメータを特別に変更する。
【００３４】
制御手段２６は、前述したように、２つの代表値ＲＥＰ１およびＲＥＰ２を利用して制御データＣＤＡを生成することができる。この制御データは、制御手段２６から接続２９を介してタイムウィンドウ定義手段１９へ送ることができる。タイムウィンドウＴＷ１またはＴＷ２の発生時間は、制御データＣＤＡによって定義されることができる。このタイムウィンドウＴＷ１またはＴＷ２の中で、データ処理手段１７によって生成された応答信号ＲＳはコーディング・ステージ１２へ渡され、その結果、変調されたコード化応答信号ＭＣＲＳがデータキャリア１から通信ステーション１へ送信される。
【００３５】
データキャリア１および回路２は、第１のＥＡＳビット構成ＥＡＳＢ１が、認識手段２２によって認識された第１のＥＡＳビット構成ＥＡＳＢ１の関数として制御接続手段２５を介して影響を受けるタイムウィンドウ定義手段１９によって記憶手段１６から読み出されるとき、第１のタイムウィンドウＴＷ１が定義され、応答信号ＲＳ、したがって変調されたコード化応答信号ＭＣＲＳの形式をした第１のＥＡＳビット構成ＥＡＳＢ１の伝送が、第１のタイムウィンドウＴＷ１の間にのみ通信ステーション４０へ起こるように設計される。他方、もし第２のＥＡＳビット構成ＥＡＳＢ２が記憶手段１６から読み出されるならば、これは、データキャリア１および回路２のために、伝送が第２のタイムウィンドウＴＷ２の間にのみ起こる結果を生じる。このようにして、異なったＥＡＳビット構成が記憶された記憶手段１６を有するデータキャリア１は、常に、異なったタイムウィンドウでＥＡＳビット構成または応答信号を通信ステーション４０へ伝送し、したがって異なるように記憶されたＥＡＳビット構成を有するデータキャリアの間の誤りのない識別が常に保証される。これは、簡単な手段によって達成される。
【００３６】
図１のデータキャリア１および回路３において、２つだけのＥＡＳビット構成、ＥＡＳＢ１およびＥＡＳＢ２が言及された。しかし、データキャリア１では、もしデータキャリア１、およびデータキャリア１が取り付けられた物品が、物品のストックルームから離れることを許されないのであれば、更なるＥＡＳビット構成が記憶手段１６の中に記憶されてよく、たとえば、更なるＥＡＳビット構成ＥＡＳＢ３がデータキャリア１の記憶手段１６の中に記憶される。ステータス情報、即ち、ＥＡＳビット構成の更に多数の項目も考慮することができ、それらを使用して、物品の運搬および取り扱いの具体的条件を定義することができる。
【００３７】
図２のデータキャリア１および回路２は、かなりの範囲まで、図１のデータキャリア１および回路２と同じ設計である。しかし、図２に従ったデータキャリア１では、処理手段１８のために異なった設計が選択される。
【００３８】
図２のデータキャリア１および回路２において、処理手段１８は、第１のコーディング・ステージ１２に加えて、第２のコーディング・ステージ３０および第３のコーディング・ステージ３１を設けられる。３つのコーディング・ステージ１２、３０、３１を使用して、３つの異なったタイプのコーディングを実行することができる。処理手段１８は、この場合、３つの異なったコーディング・タイプを使用して応答信号ＲＳを処理するように設計される。しかし、代替的に、２つだけまたは４つ以上のコーディング・ステージも設けられてよい。３つのコーディング・ステージ１２、３０、３１によって実現されるコーディング・タイプは、各々のコーディング・タイプで、特定の論理ビット（１または０）に対して特定の連続信号シーケンスの異なった割り当てが起こる点で異なる。特定の連続信号シーケンスが特定の論理ビットへ割り当てられる事実は、「スペクトラム拡散」伝送モードとして本質的に長い間公知である。
【００３９】
３つのコーディング・ステージ１２、３０、３１は、具体的には、認識手段２２によって決定されることのできる２つの代表値ＲＥＰ１およびＲＥＰ２の関数として、したがって各々の場合に認識および読み出されたステータス情報の関数として、制御接続手段２５を介して制御されることができる。この場合、コーディング・ステージ１２、３０、または３１は、２つの代表値ＲＥＰ１およびＲＥＰ２の関数として、したがって各々の場合に認識および読み出されたステータス情報の関数として、制御手段２６の助けによって活性化されることができ、１つのコーディング・タイプが各々の場合に実現される。各々の場合に活性化されたコーディング・ステージ１２、３０、または３１は、それによって生成されたコード化応答信号ＣＲＳ１、ＣＲＳ２、またはＣＲＳ３を変調ステージ１３へ供給する。続いて、変調ステージ１３は、各々の場合に変調およびコード化された応答信号ＭＣＲＳ１、ＭＣＲＳ２、またはＭＣＲＳ３を通信ステーションへ伝送するために伝送手段３へ供給する。
【００４０】
したがって、図２のデータキャリア１および回路２は、各々の場合に活性化されたコーディング・ステージ１２、３０、または３１が２つの代表値ＲＥＰ１およびＲＥＰ２の関数として活性化されることを可能にし、各々の場合に活性化されたコーディング・ステージ１２、３０、または３１、したがって各々の場合に実現されるコーディング・タイプは、各々の場合に認識および読み出されたステータス情報に依存する。それによって、ステータス情報の異なった項目を含み、異なったコーディング・タイプを有するデータキャリア１が、それらの応答信号を通信ステーションへ送信し、したがって異なったコーディング・タイプのおかげで通信ステーションによって相互から容易に識別されることが達成される。
【００４１】
前述したステータス情報に関して、更に、データキャリア１のこの種の有意のステータス情報は、異なった物理的変数および他のパラメータのステータス情報特性であってよいことを注意しておかなければならない。たとえば、この種のステータス情報は、データキャリアが曝される温度範囲の特性であってよい。たとえば、データキャリアは温度センサ手段を備えてよい。この温度センサ手段は、たとえば、３つの温度範囲を決定することができ、決定された温度範囲に依存してステータス情報の有意の項目が記憶される記憶手段を含む。これらの３つの温度範囲は、−２０℃から−１０℃まで、−１０℃から０℃まで、０℃から＋１０℃までの温度範囲であってよい。この種のステータス情報は、更に、幾つかの圧力範囲の特性、たとえば、もしデータキャリアが車両タイヤの中に収容され、車両タイヤの空気圧力を決定する圧力センサを設けられていれば、車両タイヤの空気圧力範囲の特性であってよい。圧力センサは、特定の動作時間に車両タイヤの中で支配的であった空気圧力の値をステータス情報として記憶することのできる記憶手段を含む。ステータス情報は、更に、たとえば製品の運搬中に、データキャリア、またはデータキャリアが取り付けられた製品が曝された振動の測定値を表してよい。更に、この種のステータス情報は、荷物の宛先または郵便委託の郵便番号を表してよい。その場合、ステータス情報の非常に多くの異なった項目が、選択のために入手可能となるであろう。一時点では、その１つがデータキャリアの中に記憶されてよい。
【００４２】
処理手段１８のために、更なる設計の修正が、図３のデータキャリア１および回路２の中で提供される。この場合、処理手段１８は、２つの異なったサブキャリア信号ＳＣＳ１およびＳＣＳ２を使用して応答信号ＲＳを処理するように設計される。処理手段１８は、代替的に、２つの異なったサブキャリア信号ＳＣＳ１およびＳＣＳ２よりも多い、たとえば３つまたは４つ以上のサブキャリア信号を使用して応答信号ＲＳを処理するように設計されてよい。応答信号ＲＳは、２つのサブキャリア信号ＳＣＳ１およびＳＣＳ２によって変調されることができる。２つの異なったサブキャリア信号ＳＣＳ１およびＳＣＳ２は、それらの周波数、即ちサブキャリア周波数で相互に異なる。２つのサブキャリア信号ＳＣＳ１およびＳＣＳ２を生成するため、サブキャリア信号生成手段３２が設けられる。サブキャリア信号生成手段３２は、切り替え可能な周波数を有するサブキャリア信号発生器によって形成される。この発生器には、制御手段２６から制御データＣＤＡを送ることができ、したがってサブキャリア信号発生器の周波数は、送り込まれた制御データＣＤＡの関数として切り替えることができる。制御データＣＤＡは、図１のデータキャリア１と類似の方法で、２つの代表値ＲＥＰ１およびＲＥＰ２の関数として生成され、したがって各々の場合に認識および読み出されたステータス情報、即ち各々の場合に認識および読み出されたＥＡＳビット構成、ＥＡＳＢ１またはＥＡＳＢ２の関数として生成される。こうして、周波数の異なる２つのサブキャリア信号ＳＣＳ１およびＳＣＳ２は、各々の場合に認識および読み出されたステータス情報の関数として、サブキャリア信号生成手段３２によって生成されることができる。
【００４３】
こうして、図３のデータキャリア１および回路２は、異なったＥＡＳビット構成ＥＡＳＢ１およびＥＡＳＢ２が読み出される場合に、異なった変調結果が変調ステージ１３によって供給されることを達成し、これは、異なるように変調された伝送信号ＭＣＲＳ４およびＭＣＲＳ５がデータキャリア１から通信ステーションへ伝送される結果を生じ、異なったステータス情報を記憶して、異なるように変調された伝送信号に応答するデータキャリアが誤りなく識別されるようになる。
【００４４】
図４は、前述した通信ステーション４０を示す。通信ステーション４０は、図１に従ったデータキャリア１と非接触通信をするように提供および設計される。これは、通信ステーション４０が、通信ステーション４０への伝送信号を異なったタイムウィンドウで伝送する種類のデータキャリアと非接触通信を行うように設計されることを意味する。
【００４５】
通信ステーション４０はシーケンシャル制御手段４１を含む。シーケンシャル制御手段４１は、この実施形態の場合、マイクロコンピュータによって実現される。シーケンシャル制御手段４１は、代替的に、ハードワイヤド論理回路によって形成されてよい。クロック信号ＣＬＫをシーケンシャル制御手段４１へ供給するクロック信号発生器４２が、シーケンシャル制御手段４１へ取り付けられる。
【００４６】
コマンド信号生成手段４３が、シーケンシャル制御手段４１へ取り付けられる。複数のコマンド信号、たとえば、リクエスト信号、選択信号、読み出しコマンド信号、書き込みコマンド信号、および多数の他のコマンド信号が、コマンド信号生成手段４３によって生成されることができる。全てのコマンド信号の代表は、図４に示されるリクエスト信号ＩＳである。
【００４７】
コマンド信号生成手段４３の下流側に、コーディング手段４４が存在する。コーディング手段４４は、送り込まれたコマンド信号をコード化する。コード化が完了すると、コーディング手段４４は、コード化されたコマンド信号、たとえば、コード化されたリクエストＣＩＳを出力する。コーディング手段４４の下流側に、変調手段４５が存在する。コード化されたコマンド信号、たとえば、コード化されたリクエスト信号ＣＩＳが変調手段４５へ送り込まれることができ、それへ、更にキャリア信号発生器４６によって生成されたキャリア信号ＣＳが変調手段４５へ送り込まれることができる。変調手段４５は、同様に送り込まれたコード化コマンド信号の関数として、送り込まれたキャリア信号ＣＳを変調することができ、したがって変調手段４５は、変調が完了したとき、変調およびコード化されたコマンド信号、たとえば、変調およびコード化されたリクエスト信号ＭＣＩＳを出力することができる。変調手段４５の下流側に、増幅手段４７が存在する。変調およびコード化されたコマンド信号は、増幅手段４７によって増幅されることができる。増幅手段４７の下流側に、マッチング手段４８が存在し、マッチング手段４８の下流側に伝送手段４９が置かれる。伝送手段４９は、伝送コイル５０を含み、送信手段および受信手段の双方として動作する。変調およびコード化されて増幅手段４７によって増幅されたコマンド信号は、マッチング手段４８を介して伝送手段４９へ送られ、通信ステーション４０の通信範囲に存在する図１のデータキャリア１の全てへ伝送される。
【００４８】
これまで説明した回路構成要素は、通信ステーション４０から図１のデータキャリア１へ信号を伝送するように使用される。通信ステーション４０には、更に、図１のデータキャリア１から通信ステーション４０へ伝送信号を伝送する間にアクティブである手段が設けられる。これらの手段の中にも、伝送手段４９およびマッチング手段４８が存在する。
【００４９】
更に、これらの手段の中に処理手段５１が存在する。処理手段５１は、図１のデータキャリア１から通信ステーション４０へ送信される伝送信号、たとえば、変調およびコード化された応答信号ＭＣＲＳを処理することができる。処理手段５１は、マッチング手段４８へ取り付けられたフィルタリング手段５２、フィルタリング手段５２の下流側にある復調手段５３、復調手段５３の下流側にあるデコーディング手段５４を含む。それぞれの伝送信号がフィルタリング手段５２によってフィルタされた後、復調手段５３の助けによって復調が起こり、続いてデコーディング手段５４の助けによってデコーディングが起こる。したがって、通信ステーション４０へ送信された変調およびコード化された応答信号ＭＣＲＳの場合、コード化された応答信号ＣＲＳは復調手段５３の後に発生し、応答信号ＲＳはデコーディング手段５４の後に発生する。
【００５０】
処理手段５１の下流側に、伝送パラメータ認識手段５５および伝送信号認識手段５６が存在する。この実施形態の場合、伝送パラメータ認識手段５５はタイムウィンドウ認識手段である。このタイムウィンドウ認識手段は、通信ステーション４０へ送信された伝送信号、たとえば応答信号ＲＳの伝送が、異なった時間にスタートすることのできる２つの可能なタイムウィンドウＴＷ１およびＴＷ２のどのタイムウィンドウＴＷ１またはＴＷ２で起こったかを認識することができる。
【００５１】
伝送信号認識手段５６は、伝送信号の内容を認識するように提供および設計される。たとえば、応答信号ＲＳの内容は、伝送信号認識手段５６によって認識されることができる。これらの内容は、たとえば、データキャリア１のシリアルナンバー、更に、データキャリア１に記憶されたデータであってよい。このデータは、たとえば、製品タイプ、製品価格、製造日などの特性を表す。しかし、本明細書の記載では、重要な事実は、応答信号ＲＳの内容が、データキャリア１の中に記憶されたステータス情報、即ち、ＥＡＳビット構成ＥＡＳＢ１またはＥＡＳＢ２の項目を含むことである。伝送信号認識手段５６によって認識されたＥＡＳビット構成、ＥＡＳＢ１またはＥＡＳＢ２は、シーケンシャル制御手段４１へ送り込まれ、更なる処理のためにシーケンシャル制御手段４１の制御の下へ渡され、たとえばホスト・コンピュータへ送られる。
【００５２】
もしデータキャリアの場合に、各々の場合に読み出されたＥＡＳビット構成ＥＡＳＢ１またはＥＡＳＢ２が応答信号ＲＳの中に埋め込まれず、第１のＥＡＳビット構成ＥＡＳＢ１の読み出しの結果として、第１のビット構成ＥＡＳＢ１に対応する特殊応答信号が、所定の第１のビット・パターンを使用して生成され、第２のＥＡＳビット構成ＥＡＳＢ２の読み出しの結果として、第２のＥＡＳビット構成ＥＡＳＢ２に対応する特殊応答信号が、所定の第２のビット・パターンを使用して生成されるのであれば、伝送信号認識手段５６は、所定の第１のビット・パターンまたは所定の第２のビット・パターンをシーケンシャル制御手段４１へ供給する。各々の場合に読み出されたＥＡＳビット構成、ＥＡＳＢ１またはＥＡＳＢ２が埋め込まれ、記憶手段１６の記憶内容の一部分、たとえば、データキャリア１の有意の識別番号の少なくとも一部分、または、たとえば郵便委託の宛先を表す他のデータが追加的に組み込まれる応答信号ＲＳの場合には、伝送信号認識手段５６は、このデータをシーケンシャル制御手段４１へ供給する。
【００５３】
伝送パラメータ認識手段５５は、情報データＩＮＦＯを生成するように設計される。各々の場合の情報データＩＮＦＯは、各々の場合に受け取られた伝送信号の特性である伝送パラメータを表す。この伝送パラメータは、この実施形態の場合、伝送信号がデータキャリア１から通信ステーション４０へ送信されたタイムウィンドウの特性である。この時点で、伝送信号が図１のデータキャリア１から通信ステーション４０へ送信された特定のタイムウィンドウは、ＥＡＳビット構成、ＥＡＳＢ１またはＥＡＳＢ２に依存することを注意しておかなければならない。
【００５４】
伝送パラメータ認識手段５５によって生成された情報データＩＮＦＯは、シーケンシャル制御手段４１へ送ることができる。シーケンシャル制御手段４１は決定回路５７を含む。決定回路５７は、有利には、伝送パラメータ認識手段５５とコマンド信号生成手段４３との間に設けられる。決定回路５７は、伝送パラメータ認識手段５５から得られた情報データＩＮＦＯの関数として決定データＤＤＡを生成するように設計される。この決定データＤＤＡは、コマンド信号生成手段４３へ送ることができる。生成されることのできるコマンド信号の全セットから、どのコマンド信号をコマンド信号生成手段４３によって生成するかは、決定データＤＤＡに基づいてコマンド信号生成手段４３へ知らせることができる。これは、コマンド信号生成手段４３が、特定のコマンド信号の生成に関して、決定手段５７から決定を得るという利点を提供する。これは、決定手段５７へ送られる情報データＩＮＦＯが、各々の場合に認識された伝送パラメータ、即ち、この場合、各々の場合に認識されたタイムウィンドウ、したがって通信ステーション４０へ送信されるＥＡＳビット構成ＥＡＳＢ１またはＥＡＳＢ２に依存するからである。
【００５５】
図２のデータキャリア１と非接触様式で通信する通信ステーションの場合、この通信ステーションは図示されていないが、伝送パラメータ認識手段および伝送信号認識手段が再び設けられる。しかし、伝送パラメータ認識手段は、ここでは、伝送信号が図２のデータキャリア１から通信ステーションへ送信されたときのコーディング・タイプを認識するように設計される。更に、この場合、伝送パラメータ認識手段は伝送信号認識手段と協力するようにされる。具体的には、一度伝送パラメータ認識手段によって、どの伝送パラメータが伝送信号と一緒に通信ステーションへ伝送されたかに関して認識が行われ、伝送パラメータ認識手段は制御情報の項目を伝送信号認識手段へ供給するようにされる。したがって、この制御情報を利用して、伝送信号認識手段は、通信ステーションへ送信された伝送信号を誤りなく認識することができる。
【００５６】
図３のデータキャリア１と非接触様式で通信する通信ステーションでは、この通信ステーションも同様に図示されていないが、再び伝送パラメータ認識手段および伝送信号認識手段が設けられる。しかし、伝送パラメータ認識手段は、ここでは、変調された伝送信号のために使用されたサブキャリア周波数を認識するように設計される。したがって変調およびコード化された信号は伝送パラメータ認識手段へ送られ、伝送パラメータ認識手段は処理手段の中の復調手段に影響を与えて、変調およびコード化された伝送信号の誤りのない復調を、認識された変調環境に従って行うことができる。
【００５７】
図１、図２、図３を参照して説明したデータキャリア１および回路２において、リクエスト信号ＩＳは、通信ステーションから着目するデータキャリア１へ振幅変調およびコード化様式で送信され、データキャリア１の中で応答信号ＲＳを直接生成する。リクエスト信号ＩＳおよび応答信号ＲＳの双方は、ここでは、前もって指定されたワード長を有するデータ・ワードによって形成される。しかし、代替的に、リクエスト信号は通信ステーションによって生成されて変調されないトリガ信号によって形成されることが可能である。このトリガ信号は、本質的に、情報内容を有しない正弦信号であり、通信ステーションから、その伝送手段によって通信ステーションの通信範囲へ出力される。ここで、そのトリガ信号は通信ステーションの通信範囲に入って来るデータキャリアの伝送手段によって受け取られる。その結果、問題のデータキャリアはパワーを与えられ、続いてデータキャリアの生成手段による応答信号の生成が自動的に開始される。
【図面の簡単な説明】
【００５８】
【図１】本発明の第１の実施形態に従って、本明細書の記載で重要なデータキャリアの一部分、および、このデータキャリアの回路の一部分を、概略的なブロック図の形式で示す。
【図２】本発明の第２の実施形態に従って、本明細書の記載で重要なデータキャリアの一部分、および、このデータキャリアの回路の一部分を、図１と類似した形式で示す。
【図３】本発明の第３の実施形態に従って、本明細書の記載で重要なデータキャリアの一部分、および、このデータキャリアの回路の一部分を、図１および図２と類似した形式で示す。
【図４】本発明の実施形態に従って、本明細書の記載で重要な通信ステーションの一部分を概略的なブロック図の形式で示す。
【図１】
2005510812.tif 000003
【図２】
2005510812.tif 000004
【図３】
2005510812.tif 000005
【図４】
2005510812.tif 000006
【国際調査報告】
2005510812.tif 000007
2005510812.tif 000008